(57)【要約】【課題】  プログラム化可能なロジックアナライザーのデータ分析の方法を提供する。【解決手段】  主にアナライザーのコントロール回路は被分析物より波形データを取り出し、メモリ内に保存し、該メモリがいっぱいになると、伝送インターフェースによりコンピュータに伝送され、該コンピュータは該波形データをバッファー内に書き込み、さらに該バッファー内のデータはモニタに伝送され表示される。さらにデジタル回路の被分析信号補助分析ステップを行い、こうして使用者はコンピュータ中において該モニタ上に表示されるデータを参考に、エラーデータ分析、比較データ分析、サーチデータ分析などを行い、また分析後のデータはファイル形式で保存され、或いはプリンターを利用しレポートとして使用者に供されるデータ分析を行うことができる。【特許請求の範囲】
【請求項１】
主にアナライザーのコントロール回路は被分析物より波形データを取り出し、メモリ内に保存し、該メモリがいっぱいになると、伝送インターフェースによりコンピュータに伝送され、該コンピュータは該波形データをバッファー内に書き込み、さらに該バッファー内のデータはモニタに伝送され表示され、さらにデジタル回路の被分析信号補助分析ステップを行い、こうして使用者はコンピュータ中において該モニタ上に表示されるデータを参考にデータ分析を行うことを特徴とするプログラム化可能なロジックアナライザーのデータ分析の方法。
【請求項２】
前記デジタル回路の被分析信号補助分析ステップ中には波形品質分析機能を具えることを特徴とする請求項１記載のプログラム化可能なロジックアナライザーのデータ分析の方法。
【請求項３】
前記デジタル回路の被分析信号補助分析ステップ中には通信プロトコル分析機能を具えることを特徴とする請求項１記載のプログラム化可能なロジックアナライザーのデータ分析の方法。
【請求項４】
前記デジタル回路の被分析信号補助分析ステップにはメモリデータ分析機能を具えることを特徴とする請求項１記載のプログラム化可能なロジックアナライザーのデータ分析の方法。
【請求項５】
前記アナライザーのコントロール回路は被分析物より波形データを取り出す時、使用者が入力する分析しようとする被分析物のデータシートを通して関連する分析使用を行うことを特徴とする請求項１記載のプログラム化可能なロジックアナライザーのデータ分析の方法。
【請求項６】
前記アナライザーのコントロール回路は被分析物より波形データを取り出す時、直接データベース中より分析しようとする被分析物の通り番号を選択し関連する分析使用を行うことを特徴とする請求項１記載のプログラム化可能なロジックアナライザーのデータ分析の方法。
【請求項７】
前記分析後のデータはファイル形式で保存されることを特徴とする請求項１記載のプログラム化可能なロジックアナライザーのデータ分析の方法。
【請求項８】
前記分析後のデータはプリンターによりレポートとして印刷されることを特徴とする請求項１記載のプログラム化可能なロジックアナライザーのデータ分析の方法。
【請求項９】
前記コンピュータのバッファーの容量は前記被分析物内部データの大きさに応じて変化することを特徴とする請求項１記載のプログラム化可能なロジックアナライザーのデータ分析の方法。
【請求項１０】
前記デジタル回路の被分析信号補助分析ステップは前記被分析物のデータに対してエラーデータ分析を行うことを特徴とする請求項１記載のプログラム化可能なロジックアナライザーのデータ分析の方法。
【請求項１１】
前記デジタル回路の被分析信号補助分析ステップは前記被分析物のデータに対して比較データ分析を行うことを特徴とする請求項１記載のプログラム化可能なロジックアナライザーのデータ分析の方法。
【請求項１２】
前記デジタル回路の被分析信号補助分析ステップは前記被分析物のデータに対してサーチデータ分析を行うことを特徴とする請求項１記載のプログラム化可能なロジックアナライザーのデータ分析の方法。
【請求項１３】
前記アナライザーはさらに圧縮装置を設置し、前記コントロール回路は前記被分析物中より波形データを取り出し、該圧縮装置を通して該データを圧縮し、前記メモリ中に保存し、前記メモリがいっぱいになると、前記メモリが保存した波形データはコンピュータに伝送され、該コンピュータにより該データを解凍後、表示することを特徴とする請求項１記載のプログラム化可能なロジックアナライザーのデータ分析の方法。
【請求項１４】
前記アナライザーはさらに圧縮装置を設置し、前記コントロール回路は前記被分析物中より波形データを取り出し先ず前記メモリ中に保存し、前記メモリがいっぱいになると、該圧縮装置を通して前記波形データを圧縮しコンピュータに伝送し、該コンピュータにより該データを解凍後、表示することを特徴とする請求項１記載のプログラム化可能なロジックアナライザーのデータ分析の方法。
【請求項１５】
主にアナライザーのコントロール回路は被分析物より波形データを取り出し、メモリ内に保存し、該メモリがいっぱいになると、バッファー内に書き込み、さらに該バッファー内のデータは表示装置（モニタ）に伝送され表示され、さらにデジタル回路の被分析信号補助分析ステップを行い、こうして使用者は該表示装置（モニタ）上において表示されるデータを参考にデータ分析を行うことを特徴とするプログラム化可能なロジックアナライザーのデータ分析の方法。
【請求項１６】
前記デジタル回路の被分析信号補助分析ステップ中には波形品質分析機能を具えることを特徴とする請求項１５記載のプログラム化可能なロジックアナライザーのデータ分析の方法。
【請求項１７】
前記デジタル回路の被分析信号補助分析ステップ中には通信プロトコル分析機能を具えることを特徴とする請求項１５記載のプログラム化可能なロジックアナライザーのデータ分析の方法。
【請求項１８】
前記デジタル回路の被分析信号補助分析ステップにはメモリデータ分析機能を具えることを特徴とする請求項１５記載のプログラム化可能なロジックアナライザーのデータ分析の方法。
【請求項１９】
前記アナライザーの前記コントロール回路は前記被分析物より前記波形データを取り出す時、使用者が入力する分析しようとする前記被分析物のデータシートを通して関連する分析使用を行うことを特徴とする請求項１５記載のプログラム化可能なロジックアナライザーのデータ分析の方法。
【請求項２０】
前記アナライザーの前記コントロール回路は前記被分析物より前記波形データを取り出す時、直接データベースより分析しようとする前記被分析物の通し番号を選択し関連する分析使用を行うことを特徴とする請求項１５記載のプログラム化可能なロジックアナライザーのデータ分析の方法。
【請求項２１】
前記分析後のデータはファイル形式で保存されることを特徴とする請求項１５記載のプログラム化可能なロジックアナライザーのデータ分析の方法。
【請求項２２】
前記分析後のデータはプリンターによりレポートとして印刷されることを特徴とする請求項１５記載のプログラム化可能なロジックアナライザーのデータ分析の方法。
【請求項２３】
前記アナライザーの前記バッファーの容量は前記被分析物の内部データの大きさに応じて変化することを特徴とする請求項１５記載のプログラム化可能なロジックアナライザーのデータ分析の方法。
【請求項２４】
前記デジタル回路の被分析信号補助分析ステップは前記被分析物のデータに対してエラーデータの分析を行うことを特徴とする請求項１５記載のプログラム化可能なロジックアナライザーのデータ分析の方法。
【請求項２５】
前記デジタル回路の被分析信号補助分析ステップは前記被分析物のデータに対して比較データの分析を行うことを特徴とする請求項１５記載のプログラム化可能なロジックアナライザーのデータ分析の方法。
【請求項２６】
前記デジタル回路の被分析信号補助分析ステップは前記被分析物のデータに対してサーチデータの分析を行うことを特徴とする請求項１５記載のプログラム化可能なロジックアナライザーのデータ分析の方法。
【請求項２７】
前記アナライザーはさらに圧縮/解凍装置を設置し、前記コントロール回路は前記被分析物中より波形データを取り出し、該圧縮/解凍装置を通して該データを圧縮し、前記メモリ中に保存し、前記メモリがいっぱいになると、該圧縮/解凍装置により該データを解凍後、前記バッファーに保存し、さらに前記表示装置（モニタ）を通して表示することを特徴とする請求項１５記載のプログラム化可能なロジックアナライザーのデータ分析の方法。
【請求項２８】
前記アナライザーはさらに圧縮/解凍装置を設置し、前記コントロール回路は前記被分析物中より波形データを取り出し、前記メモリ中に保存し、前記メモリがいっぱいになると、該圧縮/解凍装置を通して該波形データを圧縮/解凍し、前記バッファー中に保存し、該圧縮/解凍装置により該データを解凍後、前記表示装置（モニタ）を通して表示することを特徴とする請求項１５記載のプログラム化可能なロジックアナライザーのデータ分析の方法。
【発明の詳細な説明】
【技術分野】
【０００１】
本発明は一種のプログラム化可能なロジックアナライザーのデータ分析の方法に関する。特に一種のアナライザーは被分析物より波形データを取り出しコンピュータのモニタ上に表示後、デジタル回路の被分析信号補助分析ステップ中において波形品質分析、通信プロトコル分析、メモリデータ分析を行い、こうして使用者はコンピュータ中においてモニタ上に表示されるデータを参考にエラーデータ分析、比較データ分析、サーチデータ分析などを行い、また分析後のデータはファイル形式で保存され、或いはプリンターを利用しレポートとして使用者に供されるプログラム化可能なロジックアナライザーのデータ分析の方法に係る。
【背景技術】
【０００２】
公知のロジックアナライザーはデジタル回路（IC、集成回路など）に対してのみデータを獲得後、モニタ上に表示するもので、人手によりモニタ上で表示し、目視分析を行うものである。また現在、この業界に属するメーカーの研究開発の方向は以下の４点に限定されている。先ず一つ目はメモリの深度、二つ目はアクセス信号速度、三つ目はトリガー能力、四つ目は安定度（耐雑信号能力）である。しかし、このような研究開発はある種の程度に達した時、さらなる飛躍は非常に難しい。そのため、現在のロジックアナライザーが具備する機能は日進月歩の電子テクノロジー界にあって、プログラマーにとって真に必要なものではなくなっている。プログラマーは製品開発時の全体的な速度を加速するために、彼らが求めるものはさらに多くの、さらに強大な分析測定機能である。
しかし、現在の測定機器の設計/製造メーカーが設計/製造するテスト機種は、通常ある種の特定項目に対してのみテストを行うことができ、同一種類の製品に対してテストを行うことはできない。もしUSBインターフェースの機種をテストしようとするなら、他の例えばRS-232などの通信インターフェースに対してテストを行うことはできない。これでは消費者にとって投資効率が悪いだけでなく、購買意欲をも低下させてしまう。
よって、もしロジックアナライザーがテスト、エラーディテクト、分析などの機能を具えており、テストにある特定の項目を含んでいるなら、その機能はさらに完璧となり、しかも、テスト可能な製品の項目はさらに多くなる。このようなロジックアナライザーはより多くの、より強大な分析テスト機能を具えることができるため、消費者は一台のロジックアナライザーを購入するだけで、多種の製品項目のテストのために数台のテスト機種を購入する必要はなくなる。これにより消費者の購買意欲を刺激し、設計/製造メーカーの製造コストを低下させることができる。
【発明の開示】
【発明が解決しようとする課題】
【０００３】
公知構造には以下の欠点があった。
すなわち公知のロジックアナライザーの研究開発はある種の程度に達した時、さらなる発展が非常に難しいため、現在のロジックアナライザーが具備する機能はプログラマーにとって真に必要なものではなくなっている。にもかかわらず、現在の測定機器の設計/製造メーカーが設計/製造するテスト機種は、通常ある種の特定項目に対してのみテストを行うことができ、同一種類の製品に対してテストを行うことはできないため、消費者にとって投資効率が悪いだけでなく、購買意欲をも低下させてしまっている。
本発明は上記構造の問題点を解決したプログラム化可能なロジックアナライザーのデータ分析の方法を提供するものである。
【課題を解決するための手段】
【０００４】
上記課題を解決するため、本発明は下記のプログラム化可能なロジックアナライザーのデータ分析の方法を提供する。
それは主にアナライザーのコントロール回路は被分析物より波形データを取り出し、メモリ内に保存し、該メモリがいっぱいになると、伝送インターフェースによりコンピュータに伝送され、該コンピュータは該波形データをバッファー内に書き込み、さらに該バッファー内のデータはモニタに伝送され表示され、さらにデジタル回路の被分析信号補助分析ステップを行い、こうして使用者はコンピュータ中において該モニタ上に表示されるデータを参考に、エラーデータ分析、比較データ分析、サーチデータ分析などを行い、また分析後のデータはファイル形式で保存され、或いはプリンターを利用しレポートとして使用者に供されるデータ分析を行うことができ、
さらにそれは、該アナライザーのコントロール回路は被分析物より波形データを取り出した後、メモリ内に保存し、該メモリがいっぱいになると、バッファー内に書き込み、さらに該バッファー内のデータは表示装置（モニタ）に伝送され表示され、デジタル回路の被分析信号補助分析ステップにおいて波形品質分析、通信プロトコル分析、メモリデータ分析を行い、使用者は表示装置（モニタ）に表示されるデータによりデータ分析を行い、分析後のデータはファイル形式で保存され、或いはプリンターを利用しレポートとして使用者に供されるデータ分析を行うことができることを特徴とするプログラム化可能なロジックアナライザーのデータ分析の方法である。
【発明の効果】
【０００５】
上記のように、本発明の実施により、使用者はデジタル回路の被分析信号補助分析ステップを行い、コンピュータ中においてモニタ上に表示されるデータを参考に、エラーデータ分析、比較データ分析、サーチデータ分析などを行うことができる。さらに分析後のデータはファイル形式で保存され、或いはプリンターを利用しレポートとすることもできる。
【発明を実施するための最良の形態】
【０００６】
図１に示すように、本発明のアナライザー１０はコントロール回路１１、伝送インターフェース１２、メモリ１３を含む。該コントロール回路１１はジグ（図示なし）により被分析物１４と相互に接続される。該伝送インターフェース１２はコンピュータ１５と相互に接続し、これにより該コントロール回路１１は該被分析物１４の内部データを読み取り、該メモリ１３内に保存することができる。該メモリ１３がいっぱいになると、該メモリ１３に保存されていたデータは該コンピュータ１５に伝送され、該コンピュータ１５を通して表示される。
さらに、該コントロール回路１１は該被分析物１４が伝送して来る内部データを受信すると、先ず該内部データを圧縮装置１６を経由し圧縮処理し、該メモリ１３中に保存する。該メモリ１３がいっぱいになり、数値データの検査/測定を完璧とし該コンピュータ１５に伝送する時、該コンピュータ１５は該内部データを解凍処理し、表示する。
【０００７】
次に図２に示すように、本発明のアナライザー１０の該コントロール回路１１は該被分析物１４中から内部データを読み取った後、直接該メモリ１３中に保存する。該メモリ１３がいっぱいになると、該圧縮装置１６を通してデータを圧縮し、該メモリ１３が保存するデータを該コンピュータ１５に伝送する。該コンピュータ１５によりデータを解凍し表示する。
さらに、図１、２に示すように、該アナライザー１０は使用者がテストしようとする該被分析物１４のデータシートを入力する、或いは直接データベース中よりテストしようとする該被分析物１４の番号を選択すると、該アナライザー１０のコントロール回路１１は該被分析物１４から波形データを獲得し、該メモリ１３中に保存する。該メモリ１３がいっぱいになると、該伝送インターフェース１２により該コンピュータ１５に伝送し、該コンピュータ１５は波形データをそのバッファー内に入力し、該バッファー内のデータをモニタに送り表示する。
同時に図３に示すように、デジタル回路の被分析信号補助分析ステップ１００中において波形品質分析２０、通信プロトコル分析３０、メモリデータ分析４０を行う。こうして、使用者は該コンピュータ１５中においてモニタ上に表示されるデータを参考にしエラーディテクトデータ分析、データ分析比較、データ分析サーチなどを行う。また分析後のデータはファイル形式で保存され、或いはプリンターを利用しレポートとして使用者に提供される。
【０００８】
続いて図３、４に示すように、使用者がデジタル回路の被分析信号補助分析ステップ１００において波形品質分析２０を行う時、本発明は以下のステップにより処理を開始する。
（２００）被分析信号を入力する。
（２０１）特性規格に符合するか否かをデータベースロジックと比較する
（２０２）出力ロジックを分析をする。この時、同時に図５に示すように、出力されたロジックの分析は先ずステップ（２０２A）を行い、出力された波形ロジックが特性規格に符合するか否かを判断する。符合するなら、分析を終了する。符合しないなら、ステップ（２０２B）に進む。ステップ（２０２B）では波形表示区（図２１参照）において別の色で標示後、分析動作を終了する。
（２０３）波形幅を分析する。この時、同時に図６に示すように、該波形幅の分析は先ずステップ（２０３A）を行い、波形幅が特性規格に符合するか否かを判断する。もし符合するなら、分析動作を終了する。もし符合しないなら、ステップ（２０３B）に進む。ステップ（２０３B）は波形表示区（図２１参照）において別の色で標示後、分析動作を終了する。
（２０４）比較データを分析する。この時、同時に図７に示すように、その比較データの分析は先ずステップ（２０４A）を行い、次に被分析信号を入力し、次にステップ（２０４B）により使用者は、どのデータと比較するかを選択し、ステップ（２０４C）により今回分析した波形データを波形表示区（図２１参照）において別の色で標示後、分析動作を終了する。
（２０５）禁止入力を分析する。この時、同時に図８に示すように、その禁止入力の分析は先ずステップ（２０５A）を行い、入力された波形ロジックが特性規格に符合するか否かを判断する。もし符合するなら、分析動作を終了する。もし符合しないなら、ステップ（２０５B）を継続する。ステップ（２０５B）で波形表示区（図２１参照）において別の色で標示後、分析動作を終了する。
（２０６）サーチデータを分析する。この時、同時に図９に示すように、そのサーチデータの分析は先ずステップ（２０６A）を行い、使用者は波形表示区（図２１参照）において波形を選択する。通信プロトコル表示ウインドウ（図１９参照）は該波形と相対する通信プロトコル内容に飛び、別の色で標示し、分析動作を終了する。
（２０７）分析後の波形データを該波形表示区（図２１参照）に表示する。
（２０８）ファイルを保存しますか？もし保存するなら、ステップ（２０９）を実行する。しないなら、分析動作を終了する。
（２０９）波形データをファイルとして保存後、分析動作を終了する。
【０００９】
次に図３、１０に示すように、使用者がデジタル回路の被分析信号補助分析ステップ１００中において通信プロトコル分析３０を行う時、本発明は以下のステップにより処理を行う。
（３００）波形分析のデータを利用する。それを文字、数字、或いは符合などに転換し通信プロトコル内容を表示する。
（３０１）データベースロジックが特性規格と符合するか否か比較する。
（３０２）エラーデータを分析する。この時、同時に図１１に示すように、そのエラーディテクトデータの分析は先ずステップ（３０２A）を行い、波型幅が特性規格に符合するか否かを判断する。もし符合するなら、ステップ（３０２B）を行う。符合しないなら、ステップ（３０２D）に進む。ステップ（３０２B）では通信プロトコル内容に転換後、続いて（３０２C）において通信プロトコル内容が特性規格に符合するか否かを判断する。符合するなら、分析動作を終了する。しないなら、以下のステップ（３０２D）に進む。ステップ（３０２D）ではエラー信号フォーマットに転換後、分析動作を終了する。
（３０３）データ分析をサーチする。この時同時に図１２に示すように、データ分析のサーチは先ずステップ（３０３A）を行い、使用者は通信プロトコル表示ウィンドウ（図１９参照）より通信プロトコル内容を選択する。波形表示区（図２１参照）とメモリデータ表示ウィンドウ（図２０参照）は該通信プロトコル内容と相対する波形とメモリ内容に飛び、別の色で標示し、分析動作を終了する。
（３０４）分析後の通信プロトコル内容を該通信プロトコル表示ウィンドウ区（図１９参照）に表示し、ステップ（３０５）に進む。
（３０５）ファイルとして保存するなら、ステップ（３０６）に進む。保存しないなら分析動作を終了する。
（３０６）通信プロトコル内容をファイルとして保存後、分析動作を終了する。
【００１０】
次に図３、１３に示すように、使用者が使用者がデジタル回路の被分析信号補助分析ステップ１００中においてメモリデータ分析４０を行う時、本発明は以下のステップにより処理を行う。
（４００）通信プロトコル内容のデータを利用し、被分析物に同一のメモリ内容を複製する。
（４０１）データベースロジックが特性規格に符合するか否か比較する。
（４０２）アクセスデータを分析する。この時、同時に図１４に示すように、そのアクセスデータの分析は先ずステップ（４０２A）を行い、同じアドレスの書き込みと読み出しのデータと同一であるか否かを判断する。もし同一であるなら、分析動作を終了する。もし同一でないなら、ステップ（４０２B）を行う。ステップ（４０２B）はメモリデータ表示ウィンドウ（図２０参照）において別の色で標示し、分析動作を終了する。
（４０３）比較データを分析する。この時、同時に図１５に示すように、その比較データの分析は先ずステップ（４０３A）を行い、再度通信プロトコル内容を入力する。さらに、ステップ（４０３B）により、どのデータと比較するか使用者に選択させ、ステップ（４０３C）により今回分析するメモリ内容をメモリデータ表示ウィンドウ（図２０参照）において別の色で標示し、分析動作を終了する。
（４０４）サーチデータを分析する。先ずステップ（４０４A）を行うために、使用者はメモリデータ表示ウィンドウ（図２０参照）よりあるデータ或いはアドレスとデータ或いはアドレスを選択し、通信プロトコル表示ウィンドウ（図１９参照）は該データ或いはアドレスとデータ或いはアドレスと相対する通信プロトコル内容に飛び、別の色で標示し、分析動作を終了する。
（４０５）分析後のメモリデータをメモリデータ表示ウィンドウ（図２０参照）に標示する。
（４０６）ファイルとして保存するなら、ステップ（４０７）に進み、保存しないなら、分析動作を終了する。
（４０７）メモリデータをファイルに保存後、分析動作を終了する。
【００１１】
続いて図１７に示すように、本発明の別種のアナライザー１０はコントロール回路１１、メモリ１３、表示装置（モニタ）１７、バッファー１８を含む。
該コントロール回路１１はジグ（図示なし）により被分析物１４と接続され、該コントロール回路１１は該被分析物１４の内部データを読み取り、該メモリ１３に保存することができる。該メモリ１３がいっぱいになると、該メモリ１３が保存するデータを該バッファー１８に伝送し、該バッファー１８が保存するデータを該表示装置（モニタ）１７に伝送し表示する。
さらに、該アナライザー１０は使用者が入力する被分析物のデータシートを受信、或いは直接該アナライザー１０のデータベース中から分析しようとする被分析物１４の通り番号を選択する時、該アナライザー１０のコントロール回路１１は該被分析物１４より波形データを取り出し、該メモリ１３中に保存する。該メモリ１３がいっぱいになると、該メモリ１３に保存されたデータをバッファー１８に伝送され、該バッファー１８内のデータを該表示装置（モニタ）１７に伝送し表示する。さらに、デジタル回路の被分析信号補助分析ステップ１００中の波形品質分析２０、通信プロトコル分析３０、メモリデータ分析４０（図３参照）を行う。こうして、使用者は該表示装置（モニタ）１７に表示されるデータを参考にエラー探知データの分析、比較データの分析、サーチデータの分析などを行い、また分析後のデータをファイル形式として保存し、或いはプリンターを利用し印刷し使用者に提供する。
該アナライザー１０はさらに圧縮/解凍装置１９を含むため、該コントロール回路１１は該被分析物１４から読み取った内部データを先ず該圧縮/解凍装置１９を通して圧縮し、該メモリ１３中に保存する。該メモリ１３がいっぱいになると、該圧縮/解凍装置１９によりデータを解凍し、該表示装置（モニタ）１７は表示する。
【００１２】
さらに図１８に示すように、本発明の別種の実施例ではアナライザー１０の圧縮/解凍装置１９は該コントロール回路１１において該被分析物１４中より内部データを読み取った後、該内部データを直接該メモリ１３中に保存し、該メモリ１３がいっぱいになると、該圧縮/解凍装置１９を通して、該データを圧縮し、しかも該バッファー１８内に書き込み、該バッファー１８内のデータは該圧縮/解凍装置１９を経由し解凍され、該表示装置（モニタ）１７に伝送され、表示される。
上記２実施例中において、コンピュータ１５のバッファー（図示なし）或いはアナライザー１０のバッファー１８の容量は該被分析物１４の内部データの大きさに応じて変化し、該内部データと同様の容量となる。
【図面の簡単な説明】
【００１３】
【図１】本発明回路のブロックチャート１である。
【図２】本発明回路のブロックチャート２である。
【図３】本発明の作動フローチャートである。
【図４】本発明デジタル回路波形品質分析の作動フローチャートである。
【図５】本発明デジタル回路波形品質分析の出力ロジック分析における作動フローチャートである。
【図６】本発明デジタル回路波形品質分析の波形幅分析における作動フローチャートである。
【図７】本発明デジタル回路波形品質分析の比較データ分析における作動フローチャートである。
【図８】本発明デジタル回路波形品質分析の禁止入力分析における作動フローチャートである。
【図９】本発明デジタル回路波形品質分析のサーチデータ分析における作動フローチャートである。
【図１０】本発明の通信プロトコル分析の作動フローチャートである。
【図１１】本発明通信プロトコル分析のエラーデータ分析における作動フローチャートである。
【図１２】本発明通信プロトコル分析のサーチデータ分析における作動フローチャートである。
【図１３】本発明メモリデータ分析の作動フローチャートである。
【図１４】本発明メモリデータ分析のアクセスデータ分析における作動フローチャートである。
【図１５】本発明メモリデータ分析の比較データ分析における作動フローチャートである。
【図１６】本発明メモリデータ分析のサーチデータ分析における作動フローチャートである。
【図１７】本発明別種の実施例の回路ブロックチャート１である。
【図１８】本発明別種の実施例の回路ブロックチャート２である。
【図１９】本発明通信プロトコル表示ウィンドウの指示図である。
【図２０】本発明メモリデータ表示ウィンドウの指示図である。
【図２１】本発明ロジックアナライザーコントロール表示ウィンドウの指示図である。
【符号の説明】
【００１４】
１０  アナライザー
１１  コントロール回路
１２  伝送インターフェース
１３  メモリ
１４  被分析物
１５  コンピュータ
１６  圧縮装置
１７  表示装置
１８  バッファー
１９  圧縮/解凍装置
【図１】
2006515671.tif 000002
【図２】
2006515671.tif 000003
【図３】
2006515671.tif 000004
【図４】
2006515671.tif 000005
【図５】
2006515671.tif 000006
【図６】
2006515671.tif 000007
【図７】
2006515671.tif 000008
【図８】
2006515671.tif 000009
【図９】
2006515671.tif 000010
【図１０】
2006515671.tif 000011
【図１１】
2006515671.tif 000012
【図１２】
2006515671.tif 000013
【図１３】
2006515671.tif 000014
【図１４】
2006515671.tif 000015
【図１５】
2006515671.tif 000016
【図１６】
2006515671.tif 000017
【図１７】
2006515671.tif 000018
【図１８】
2006515671.tif 000019
【図１９】
2006515671.tif 000020
【図２０】
2006515671.tif 000021
【図２１】
2006515671.tif 000022
【国際調査報告】
2006515671.tif 000023